(57)【要約】【課題】  発電量を減少させることなく、装飾の自由度を向上させることのできる色素増感型太陽電池、この色素増感型太陽電池を備える装飾装置、この装飾装置を備える電子機器及び色素増感型太陽電池の製造方法を提供する。【解決手段】  色素増感型太陽電池１１であって、上板ガラスｇ１と、この上板ガラスに対向して配設された下板ガラスｇ２と、上板ガラスと下板ガラスとの間の第１の領域Ｅ１に配設された第１の色素増感型太陽電池層１１１と、上板ガラスと下板ガラスとの間の領域であって、第１の領域Ｅ１とは異なる第２の領域Ｅ２に配設され、第１の色素増感型太陽電池層と色が異なる第２の色素増感型太陽電池層１１２と、を備えた。【選択図】図４
2010135334.tif 000002
【特許請求の範囲】
【請求項１】
光透過性の第１の基板と、
この第１の基板に対向して配設された第２の基板と、
前記第１の基板と前記第２の基板との間に配設された第１の色素増感型太陽電池層と、
前記第１の基板と前記第２の基板との間であって、前記第１の色素増感型太陽電池層が配設された領域とは異なる領域に配設され、前記第１の色素増感型太陽電池層と色が異なる第２の色素増感型太陽電池層と、
を備えていることを特徴とする色素増感型太陽電池。
【請求項２】
前記第１の基板に形成された装飾部を備えていることを特徴とする請求項１記載の色素増感型太陽電池。
【請求項３】
前記装飾部は、前記第１の基板の外表面に印刷されていることを特徴とする請求項２記載の色素増感型太陽電池。
【請求項４】
前記装飾部は、前記第１の基板の外表面に植字又は貼付されていることを特徴とする請求項２記載の色素増感型太陽電池。
【請求項５】
前記装飾部は、前記第１の基板の外表面にエッチングにより形成されていることを特徴とする請求項２記載の色素増感型太陽電池。
【請求項６】
前記第２の基板に形成された装飾部を備え、
前記第２の基板は、光透過性の基板であることを特徴とする請求項１記載の色素増感型太陽電池。
【請求項７】
前記装飾部は、前記第２の基板の外表面に印刷されていることを特徴とする請求項６記載の色素増感型太陽電池。
【請求項８】
前記装飾部は、前記第２の基板の外表面に植字又は貼付されていることを特徴とする請求項６記載の色素増感型太陽電池。
【請求項９】
前記装飾部は、前記第２の基板の外表面にエッチングにより形成されていることを特徴とする請求項６記載の色素増感型太陽電池。
【請求項１０】
第１の色素増感型太陽電池層と、
この第１の色素増感型太陽電池層の受光面に対して垂直方向に異なる位置に配置された第２の色素増感型太陽電池層と、
を備え、
前記第１の色素増感型太陽電池層の色と前記第２の色素増感型太陽電池層の色とが異なることを特徴とする色素増感型太陽電池。
【請求項１１】
前記第１の色素増感型太陽電池層は、前記第２の色素増感型太陽電池層よりも大きい受光面積を有し、当該第２の色素増感型太陽電池層と重なるように配設されていることを特徴とする請求項１０記載の色素増感型太陽電池。
【請求項１２】
光透過性の第１の基板と、
この第１の基板よりも太陽光入射面側と反対側に配設された第２の基板と、
前記第１の基板よりも太陽光入射面側に配設された光透過性の第３の基板と、
を備え、
前記第１の色素増感型太陽電池層及び前記第２の色素増感型太陽電池層のうち、一方が、前記第１の基板と前記第２の基板との間に配設され、他方が、前記第１の基板と前記第３の基板との間に配設されていることを特徴とする請求項１１記載の色素増感型太陽電池。
【請求項１３】
請求項１〜１２の何れか一項に記載された色素増感型太陽電池と、
前記第２の基板よりも太陽光入射面側と反対側に配設され、外光を蓄光する蓄光部材と、
を備え、
前記第２の基板は、光透過性の基板であることを特徴とする装飾装置。
【請求項１４】
請求項１〜１２の何れか一項に記載された色素増感型太陽電池と、
この色素増感型太陽電池よりも太陽光入射面側と反対側に配設された装飾板と、
を備え、
前記第２の基板は、光透過性の基板であることを特徴とする装飾装置。
【請求項１５】
請求項１〜１２の何れか一項に記載された色素増感型太陽電池と、
この色素増感型太陽電池よりも太陽光入射面側に配設された光透過性の装飾板と、
を備えていることを特徴とする装飾装置。
【請求項１６】
前記装飾板には、前記第１の色素増感型太陽電池層の色及び前記第２の色素増感型太陽電池層の色と異なる色が着色されていることを特徴とする請求項１４又は１５記載の装飾装置。
【請求項１７】
請求項１３〜１６の何れか一項に記載された装飾装置を機器ケースに配置したことを特徴とする電子機器。
【請求項１８】
前記色素増感型太陽電池よりも太陽光入射面側に配設され、時刻を指示する指針と、
この指針を駆動させる駆動部と、
前記第１の色素増感型太陽電池層の色と前記第２の色素増感型太陽電池層の色とにより認識されるとともに、前記指針によって指示される時字と、
を備えていることを特徴とする請求項１７記載の電子機器。
【請求項１９】
光透過基板に透明電極を積層し、この透明電極に金属酸化物層を積層する積層工程と、
前記金属酸化物層の所定の領域に第１のレジストを塗付する第１の塗付工程と、
前記金属酸化物層の前記第１のレジストが塗付された領域以外の領域に第１の光増感色素を添加する第１の添加工程と、
前記第１のレジストを除去し、前記第１の光増感色素が添加された領域に第２のレジストを塗付する第２の塗付工程と、
前記金属酸化物層の前記第１のレジストを除去した領域に、前記第１の光増感色素と異なる色の第２の光増感色素を添加する第２の添加工程と、
を備えていることを特徴とする色素増感型太陽電池の製造方法。
【発明の詳細な説明】
【技術分野】
【０００１】
本発明は、色素増感型太陽電池、この色素増感型太陽電池を備える装飾装置、この装飾装置を備える電子機器及び色素増感型太陽電池の製造方法に関する。
【背景技術】
【０００２】
従来から、太陽電池を備える時計の装飾板である文字板が知られている（例えば、特許文献１参照。）。
特許文献１記載の時計の文字板は、例えば、太陽電池と、この太陽電池の視認側（太陽光入射面側）に設けられ段差部を有する光透過基板と、この段差部に配設される輝石等の装飾部材等を備えることによって、太陽光入射面から光透過基板と装飾部材との２つの部材を視認できることとなり、装飾性を向上させることができるようになっている。
【先行技術文献】
【特許文献】
【０００３】
【特許文献１】特開平１０−３９０４８号公報
【発明の概要】
【発明が解決しようとする課題】
【０００４】
しかしながら、特許文献１記載の時計の文字板においては、輝石等の装飾部材を備えることにより、色彩に富む装飾を施すことができるものの、この装飾部材が太陽電池よりも太陽光入射面側にあるので、装飾部材により外光が遮られることとなって、太陽電池の発電量が低下してしまうため、装飾の自由度が制限されてしまうという問題点があった。
【０００５】
そこで、本発明の課題は、発電量を減少させることなく、装飾の自由度を向上させることのできる色素増感型太陽電池、この色素増感型太陽電池を備える装飾装置、この装飾装置を備える電子機器及び色素増感型太陽電池の製造方法を提供することである。
【課題を解決するための手段】
【０００６】
上記課題を解決するために、請求項１記載の発明は、色素増感型太陽電池であって、 光透過性の第１の基板（例えば、図４の上板ガラスｇ１、図１７の上板ガラスｇ６）と、
この第１の基板に対向して配設された第２の基板（例えば、図４の下板ガラスｇ２、図１７の下板ガラスｇ７）と、
前記第１の基板と前記第２の基板との間に配設された第１の色素増感型太陽電池層（例えば、図４の第１の色素増感型太陽電池層１１１、図１７の第１の色素増感型太陽電池層７１１）と、
前記第１の基板と前記第２の基板との間であって、前記第１の色素増感型太陽電池層が配設された領域とは異なる領域に配設され、前記第１の色素増感型太陽電池層と色が異なる第２の色素増感型太陽電池層（例えば、図４の第２の色素増感型太陽電池層１１２、図１７の第２の色素増感型太陽電池層７１２）と、
を備えていることを特徴とする。
【０００７】
請求項２記載の発明は、請求項１記載の色素増感型太陽電池であって、
前記第１の基板に形成された装飾部（例えば、図８の装飾部２０、図９の装飾部３０）を備えていることを特徴とする。
【０００８】
請求項３記載の発明は、請求項２記載の色素増感型太陽電池であって、
前記装飾部は、前記第１の基板の外表面に印刷されていることを特徴とする。
【０００９】
請求項４記載の発明は、請求項２記載の色素増感型太陽電池であって、
前記装飾部は、前記第１の基板の外表面（例えば、図８の外表面ｇ１１）に植字又は貼付されていることを特徴とする。
【００１０】
請求項５記載の発明は、請求項２記載の色素増感型太陽電池であって、
前記装飾部は、前記第１の基板の外表面（例えば、図９の外表面ｇ１１）にエッチングにより形成されていることを特徴とする。
【００１１】
請求項６記載の発明は、請求項１記載の色素増感型太陽電池であって、
前記第２の基板に形成された装飾部（例えば、図１０の装飾部４０）を備え、
前記第２の基板は、光透過性の基板であることを特徴とする。
【００１２】
請求項７記載の発明は、請求項６記載の色素増感型太陽電池であって、
前記装飾部は、前記第２の基板の外表面（例えば、図１０の外表面ｇ２１）に印刷されていることを特徴とする。
【００１３】
請求項８記載の発明は、請求項６記載の色素増感型太陽電池であって、
前記装飾部は、前記第２の基板の外表面に植字又は貼付されていることを特徴とする。
【００１４】
請求項９記載の発明は、請求項６記載の色素増感型太陽電池であって、
前記装飾部は、前記第２の基板の外表面にエッチングにより形成されていることを特徴とする。
【００１５】
請求項１０記載の発明は、色素増感型太陽電池であって、
第１の色素増感型太陽電池層（例えば、図１４の第１の色素増感型太陽電池層６１１）
この第１の色素増感型太陽電池層の受光面に対して垂直方向に異なる位置に配置された第２の色素増感型太陽電池層（例えば、図１４の第２の色素増感型太陽電池層６１２）と、
を備え、
前記第１の色素増感型太陽電池層の色と前記第２の色素増感型太陽電池層の色とが異なることを特徴とする。
【００１６】
請求項１１記載の発明は、請求項１０記載の色素増感型太陽電池であって、
前記第１の色素増感型太陽電池層は、前記第２の色素増感型太陽電池層よりも大きい受光面積を有し、当該第２の色素増感型太陽電池層と重なるように配設されていることを特徴とする。
【００１７】
請求項１２記載の発明は、請求項１１記載の色素増感型太陽電池であって、
光透過性の第１の基板（例えば、図１４の中間ガラスｇ３）と、
この第１の基板よりも太陽光入射面側と反対側に配設された第２の基板（例えば、図１４の下板ガラスｇ４）と、
前記第１の基板よりも太陽光入射面側に配設された光透過性の第３の基板（例えば、図１４の上板ガラスｇ５）と、
を備え、
前記第１の色素増感型太陽電池層及び前記第２の色素増感型太陽電池層のうち、一方が、前記第１の基板と前記第２の基板との間に配設され、他方が、前記第１の基板と前記第３の基板との間に配設されていることを特徴とする。
【００１８】
請求項１３記載の発明は、装飾装置であって、
請求項１〜１２の何れか一項に記載された色素増感型太陽電池と、
前記第２の基板よりも太陽光入射面側と反対側に配設され、外光を蓄光する蓄光部材（例えば、図４の蓄光部材１３）と、
を備え、
前記第２の基板は、光透過性の基板であることを特徴とする。
【００１９】
請求項１４記載の発明は、装飾装置であって、
請求項１〜１２の何れか一項に記載された色素増感型太陽電池（例えば、図１１の色素増感型太陽電池５１）と、
この色素増感型太陽電池よりも太陽光入射面側と反対側に配設された装飾板（例えば、図１１の装飾板５０）と、
を備え、
前記第２の基板は、光透過性の基板であることを特徴とする。
【００２０】
請求項１５記載の発明は、装飾装置であって、
請求項１〜１２の何れか一項に記載された色素増感型太陽電池と、
この色素増感型太陽電池よりも太陽光入射面側に配設された光透過性の装飾板（例えば、図１３の装飾板６３）と、
を備えていることを特徴とする。
【００２１】
請求項１６記載の発明は、請求項１４又は１５記載の装飾装置であって、
前記装飾板には、前記第１の色素増感型太陽電池層の色及び前記第２の色素増感型太陽電池層の色と異なる色が着色されていることを特徴とする。
【００２２】
請求項１７記載の発明は、電子機器（例えば、図１の腕時計１００、図１５の携帯電話機７００）であって、
請求項１３〜１６の何れか一項に記載された装飾装置を機器ケース（例えば、図１の時計ケース２、図１５の第２の筐体７２０）に配置したことを特徴とする。
【００２３】
請求項１８記載の発明は、請求項１７記載の電子機器であって、
前記色素増感型太陽電池よりも太陽光入射面側に配設され、時刻を指示する指針（例えば、図１、図１２の指針８ｂ）と、
この指針を駆動させる駆動部（例えば、図２のアナログ指針機構８）と、
前記第１の色素増感型太陽電池層の色と前記第２の色素増感型太陽電池層の色とにより認識されるとともに、前記指針によって指示される時字（例えば、図１の時字Ｔ、図１２の時字ｔ）と、
を備えていることを特徴とする。
【００２４】
請求項１９記載の発明は、色素増感型太陽電池の製造方法であって、
光透過基板（例えば、図５の上板ガラスｇ１）に透明電極（例えば、図５の第１の透明電極１１１ａ）を積層し、この透明電極に金属酸化物層（例えば、図５のＴｉＯ2層１１１ｂ）を積層する積層工程と、
前記金属酸化物層の所定の領域に第１のレジスト（例えば、図５の第１のレジストＲ１）を塗付する第１の塗付工程と、
前記金属酸化物層の前記第１のレジストが塗付された領域以外の領域に第１の光増感色素（例えば、図５の第１の光増感色素１１１ｃ）を添加する第１の添加工程と、
前記第１のレジストを除去し、前記第１の光増感色素が添加された領域に第２のレジスト（例えば、図５の第２のレジストＲ２）を塗付する第２の塗付工程と、
前記金属酸化物層の前記第１のレジストを除去した領域に、前記第１の光増感色素と異なる色の第２の光増感色素（例えば、図５の第２の光増感色素１１２ｃ）を添加する第２の添加工程と、
を備えていることを特徴とする。
【発明の効果】
【００２５】
請求項１記載の発明によれば、第１の色素増感型太陽電池層の色と第２の色素増感型太陽電池層の色とが異なるので、各色素増感型太陽電池層が別々の色で認識されることとなって、各色素増感型太陽電池層の色を利用した装飾を行うことができる。従って、色素増感型太陽電池層が光電変換と装飾の両方の機能を備えることとなるので、色素増感型太陽電池の発電量を減少させることなく装飾領域を増やすことができることとなって、装飾の自由度を向上させることができる。これにより、ユーザのニーズにより応えることができる。
【００２６】
請求項２記載の発明によれば、請求項１記載の発明と同様の効果が得られるのは無論のこと、特に、第１の基板に形成された装飾部を備えているので、色素増感型太陽電池層による装飾と、第１の基板の装飾部の装飾とを重ねることにより、よりデザイン性を向上させることができる。
【００２７】
請求項３記載の発明によれば、請求項２記載の発明と同様の効果が得られるのは無論のこと、特に、装飾部は、第１の基板の外表面に印刷されているので、多様な装飾をより容易に設けることができる。
【００２８】
請求項４記載の発明によれば、請求項２記載の発明と同様の効果が得られるのは無論のこと、特に、装飾部は、第１の基板の外表面に植字又は貼付されているので、より立体感、高級感ある装飾を施すことができる。
【００２９】
請求項５記載の発明によれば、請求項２記載の発明と同様の効果が得られるのは無論のこと、特に、装飾部は、第１の基板の外表面にエッチングにより形成されているので、より一層多様な装飾を好適に施すことができる。
【００３０】
請求項６記載の発明によれば、請求項１記載の発明と同様の効果が得られるのは無論のこと、特に、光透過性の第２の基板に形成された装飾部を備えているので、色素増感型太陽電池層による装飾と、第２の基板の装飾部の装飾とを重ねることにより、よりデザイン性を向上させることができる。
【００３１】
請求項７記載の発明によれば、請求項６記載の発明と同様の効果が得られるのは無論のこと、特に、装飾部は、第２の基板の外表面に印刷されているので、多様な装飾をより容易に設けることができる。
【００３２】
請求項８記載の発明によれば、請求項６記載の発明と同様の効果が得られるのは無論のこと、特に、装飾部は、第２の基板の外表面に植字又は貼付されているので、より立体感、高級感ある装飾を施すことができる。
【００３３】
請求項９記載の発明によれば、請求項６記載の発明と同様の効果が得られるのは無論のこと、特に、装飾部は、第２の基板の外表面にエッチングにより形成されているので、より一層多様な装飾を好適に施すことができる。
【００３４】
請求項１０記載の発明によれば、第１の色素増感型太陽電池層と、この第１の色素増感型太陽電池層の受光面に対して垂直方向に異なる位置に配設された第２の色素増感型太陽電池層を備え、第１の色素増感型太陽電池層の色と、第２の色素増感型太陽電池層の色とが異なるので、各色素増感型太陽電池層が別々の色で認識されることとなって、各色素増感型太陽電池層の色を利用した装飾を行うことができる。従って、色素増感型太陽電池層が光電変換と装飾の両方の機能を備えることとなるので、色素増感型太陽電池の発電量を減少させることなく装飾領域を増やすことができることとなって、装飾の自由度を向上させることができる。これにより、ユーザのニーズにより応えることができる。
【００３５】
請求項１１記載の発明によれば、請求項１０記載の発明と同様の効果が得られるのは無論のこと、特に、第１の色素増感型太陽電池層は、前記第２の色素増感型太陽電池層よりも大きい受光面積を有し、当該第２の色素増感型太陽電池層と重なるように配設されているので、外光の受光面積が大きくなる。従って、色素増感型太陽電池の発電量をより増加させることができることとなって、より消費電力量の大きい装置にも対応できるようになる。
【００３６】
請求項１２記載の発明によれば、請求項１１記載の発明と同様の効果が得られるのは無論のこと、特に、第１の色素増感型太陽電池層及び第２の色素増感型太陽電池層のうち、一方が、光透過性の第１の基板と第２の基板との間に配設され、他方が、第１の基板と光透過性の第３の基板との間に配設されているので、色素増感型太陽電池層を重ねても、基板数を減らすことができることとなって、色素増感型太陽電池の薄型化を図ることができる。
【００３７】
請求項１３記載の発明によれば、請求項１〜１２の何れか一項に記載された発明と同様の効果が得られるのは無論のこと、特に、蓄光部材が夜間に発光するので、夜間でも色素増感型太陽電池による装飾を視認することができるとともに、蓄光部材の発光により発電を行うことができるので、より発電効率を向上させることができる。
【００３８】
請求項１４記載の発明によれば、請求項１〜１２の何れか一項に記載された発明と同様の効果が得られるのは無論のこと、特に、色素増感型太陽電池の太陽光入射面側と反対側に配設された装飾板とを備えているので、色素増感型太陽電池による装飾と、装飾板の装飾とを重ねることにより、より一層デザイン性の向上を図ることができる。
【００３９】
請求項１５記載の発明によれば、請求項１〜１２の何れか一項に記載された発明と同様の効果が得られるのは無論のこと、特に、色素増感型太陽電池の太陽光入射面側に配設された光透過性の装飾板とを備えているので、色素増感型太陽電池による装飾と、光透過性の装飾板の装飾とが重なって視認されることとなって、発電量を低下させることなくデザイン性の向上を図ることができる。
【００４０】
請求項１６記載の発明によれば、請求項１４又は１５記載の発明と同様の効果が得られるのは無論のこと、特に、装飾板には、第１の色素増感型太陽電池層の色及び第２の色素増感型太陽電池層の色と異なる色が着色されているので、色素増感型太陽電池の色と、装飾板の色との合成色が視認されることとなって、より色彩のバリエーションを増やすことができる。
【００４１】
請求項１７記載の発明によれば、請求項１３〜１６の何れか一項に記載の装飾装置を機器ケースに配置したので、色素増感型太陽電池の発電量を減少させることなく装飾の自由度を向上させることのできる電子機器を提供することができる。
【００４２】
請求項１８記載の発明によれば、請求項１７記載の発明と同様の効果が得られるのは無論のこと、特に、色素増感型太陽電池よりも太陽光入射面側に配設され、時刻を指示する指針と、この指針を駆動させる駆動部と、を備え、装飾部には、前記指針によって指示される時字が含まれるので、太陽電池の発電量を減少させることなく、且つ、豊富な色彩を有する時計として機能するので、時計としての商品価値を向上させることができる。
【００４３】
請求項１９記載の発明によれば、光透過基板に透明電極を積層し、この透明電極に金属酸化物層を積層する積層工程と、金属酸化物層の所定の領域に第１のレジストを塗付する第１の塗付工程と、金属酸化物層の前記第１のレジストが塗付された領域以外の領域に第１の光増感色素を添加する第１の添加工程と、第１のレジストを除去し、第１の光増感色素が添加された領域に第２のレジストを塗付する第２の塗付工程と、金属酸化物層の第１のレジストを除去した領域に、第１の光増感色素と異なる色の第２の光増感色素を添加する第２の添加工程と、を備えているので、光増感色素が光電変換と装飾の両方の機能を有し、太陽電池の発電量を減少させることなく装飾の自由度を向上させることのできる色素増感型太陽電池を製造することができるので、ユーザのニーズにより応えることができる。
【図面の簡単な説明】
【００４４】
【図１】本発明にかかる実施形態１の腕時計を示す一部省略平面図である。
【図２】図１のＩＩ−ＩＩ線における腕時計の断面図である。
【図３】図２の腕時計の装飾装置の断面図である。
【図４】図３の装飾装置の要部の拡大図である。
【図５】本発明にかかる色素増感型太陽電池の製造方法を説明するための図である。
【図６】本発明にかかる色素増感型太陽電池の製造方法を説明するための図である。
【図７】図１の腕時計の要部構成を示すブロック図である。
【図８】本発明にかかる実施形態２の装飾装置の要部を示す断面図である。
【図９】本発明にかかる実施形態３の装飾装置の要部を示す断面図である。
【図１０】本発明にかかる実施形態４の装飾装置の要部を示す断面図である。
【図１１】本発明にかかる実施形態５の装飾装置を示す断面図である。
【図１２】本発明にかかる実施形態６の腕時計を示す一部省略平面図である。
【図１３】図１２のＸＩＩＩ−ＸＩＩＩ線における腕時計の装飾装置の断面図である。
【図１４】図１３の装飾装置の要部の拡大図である。
【図１５】本発明にかかる実施形態７の携帯電話機を示す平面図である。
【図１６】図１５のＸＶＩ−ＸＶＩ線における携帯電話機の断面図である。
【図１７】図１６の携帯電話機の色素増感型太陽電池の要部の拡大図である。
【図１８】図１５の携帯電話機の要部構成を示すブロック図である。
【発明を実施するための形態】
【００４５】
［実施形態１］
以下、図面を参照して本発明にかかる色素増感型太陽電池を電子機器としての腕時計に適用した形態を詳細に説明する。
図１は、本発明にかかる実施形態１の腕時計を示す一部省略平面図、図２は、図１のＩＩ−ＩＩ線における腕時計の断面図、図３は、図２の腕時計の装飾装置の拡大図、図４は
、図３の装飾装置の要部の拡大図である。
【００４６】
先ず、腕時計１００の全体構成について説明する。
図１、図２に示すように、腕時計１００には、時計計時部１を内部に収納する筒状の機器ケースとしての時計ケース２が備えられ、この時計ケース２の上部には太陽光入射面側開口を覆う時計ガラス３が装着されている。さらに、この時計ケース２の下部には太陽光入射面と反対側開口を覆う裏蓋４が防水リング４ａを介してビス（図示省略）により取り付けられている。
また、時計ケース２の外周部には、入力部１０２（図７参照）を構成する当該腕時計１００の各種機能の実行を指示する各スイッチ１０２ａ〜ｄが設けられている。
【００４７】
時計計時部１は、例えば、図２に示すように、上部ハウジング５と、この上部ハウジング５の太陽光入射面と反対側に設けられた下部ハウジング６と、上部ハウジング５と時計ガラス３との間に設けられた装飾装置１０等を備えている。
上部ハウジング５の上部には、上面を時計ガラス３の下面に略当接させるようにして枠状部材７が配設されている。
【００４８】
下部ハウジング６には、駆動部としてのアナログ指針機構８と、装飾装置１０の色素増感型太陽電池１１（後述）により発電された電力を蓄積するための二次電池９が組み込まれている。
アナログ指針機構８は、色素増感型太陽電池１１に設けられた軸孔ａからその上方に延びる指針軸８ａと、この指針軸に取り付けられた時針８１、分針８２、秒針８３から構成される指針８ｂとを備え、指針８ｂが色素増感型太陽電池１１の上方を運針するように構成されている。
なお、アナログ指針機構８及び二次電池９は、それぞれ回路基板１２に電気的に接続されている。
【００４９】
次に、装飾装置１０について説明する。
図３に示すように、装飾装置１０は、色素増感型太陽電池１１と、色素増感型太陽電池１１の太陽光入射面側と反対側に配設された蓄光部材１３とを備えて構成される。
【００５０】
先ず、色素増感型太陽電池１１について説明する。
図３、図４に示すように、色素増感型太陽電池１１は、例えば、光透過性の第１の基板としての上板ガラスｇ１と、この上板ガラスｇ１と対向して配置された第２の基板としての光透過性の下板ガラスｇ２と、この上板ガラスｇ１と下板ガラスｇ２との間の第１の領域Ｅ１に配設された第１の色素増感型太陽電池層１１１と、上板ガラスｇ１と下板ガラスｇ２との間の第２の領域Ｅ２に配設された第２の色素増感型太陽電池層１１２等を備えている。
【００５１】
第１の色素増感型太陽電池層１１１は、上板ガラスｇ１の内表面ｇ１０（下面）に積層された第１の透明電極１１１ａと、この第１の透明電極１１１ａに積層された金属酸化物層としての酸化チタン層１１１ｂ（以下、ＴｉＯ2層と記す。）と、このＴｉＯ2層１１１ｂに吸着している第１の光増感色素１１１ｃ（例えば、オレンジ色の光増感色素）と、下板ガラスｇ２の内表面ｇ２０（上面）に積層され、第１の透明電極１１１ａと対向して配設された第２の透明電極１１１ｄ等を備えている。
なお、第１の光増感色素１１１ｃの色が、第１の色素増感型太陽電池層１１１の色となる。
【００５２】
ここで、第１の光増感色素１１１ｃとしては、起電力を発生させることのできる光を吸収する色素であれば、任意のものを選択することができる。このような色素としては、例えば、ルテニウム錯体、オスミウム錯体、ロジウム錯体、パラジウム錯体等の遷移金属錯体、またはルテニウム−シス−ジアクア−ビピリシル錯体、またはフタロシアニンやポルフィリン、ジチオラート錯体、アセチルアセトナート錯体などのいわゆる金属キレート錯体、およびシアニジン色素、メロシアニン色素、ローダミン色素などの有機色素、およびオキサジアゾール誘導体、ベンゾチアゾール誘導体、クマリン誘導体、スチルベン誘導体、芳香環を有する有機化合物等が好ましい。これらの色素は、吸光係数が大きくかつ繰り返しの酸化還元に対して安定であることが好ましい。また色素分子は低分子化合物であってもよいし、また繰り返し単位を有するポリマーであってもよい。
【００５３】
また、第１の光増感色素１１１ｃは、ＴｉＯ2層１１１ｂ上に化学的に吸着することが好ましく、カルボキシル基、スルホン酸基、リン酸基、アミド基、アミノ基、カルボニル基、ホスフィン基などの官能基を有することが好ましい。また、このような官能基は色素分子中に複数個ある方が好ましい。
なお、図４に示すように、ＴｉＯ2層１１１ｂは、第１の光増感色素１１１ｃをより多く吸着できるように、多孔質のものを用いるのが好適である。
【００５４】
また、上板ガラスｇ１と下板ガラスｇ２との間には、第１の光増感色素１１１ｃから放出された電子を輸送するための電解質液１１１ｅがシール部材１１ａにより封止されている。この電解質液１１１ｅとしては、例えば、ポリエチレングリコールにヨウ化リチウムや金属ヨウ素を加えたもの、又は、ヨウ化リチウム、セリウム（ＩＩＩ）硫酸塩を含むも
の等を用いる。
【００５５】
そして、第１の色素増感型太陽電池層１１１に外光が照射されると、第１の光増感色素１１１ｃが光エネルギーを吸収し、電子を放出する。その放出された電子は、ＴｉＯ2層１１１ｂを介して第１の透明電極１１１ａへ引き渡されて、この第１の透明電極１１１ａから外部の所定の負荷抵抗（例えば、時計計時部１のアナログ指針機構８等）へ送られる。その負荷抵抗を経由して移動した電子は、第２の透明電極１１１ｄへ到達した後、電解質層１１１ｅを介して、第１の光増感色素１１１ｃに復帰する。
このように、電子の循環現象により電流を発生させて発電し、負荷抵抗に電気エネルギーを供給することが可能になる。
【００５６】
第２の色素増感型太陽電池層１１２は、第１の光増感色素１１１ｃと異なる色の第２の光増感色素１１２ｃ（例えば、青色の光増感色素）を備えている点以外は、第１の色素増感型太陽電池層１１１と同様の構成であるので、詳細な説明は省略する。
なお、第２の光増感色素１１２ｃの色が、第２の色素増感型太陽電池層１１２の色となる。
【００５７】
また、色素増感型太陽電池１１は、図１に示すように、第１の色素増感型太陽電池層１１１の色と、第２の色素増感型太陽電池層１１２の色等により識別される背景領域Ｂ１、時字Ｔ、文字Ｌ１とを備えている。
【００５８】
背景領域Ｂ１は、例えば、図１に示すように、時字Ｔ、文字Ｌ１以外の色素増感型太陽電池１１の全領域である。
より具体的には、例えば、背景領域Ｂ１は、オレンジ色を呈している。即ち、図４に示すように、背景領域Ｂ１の部分は、第１の色素増感型太陽電池層１１１に対応する部分である。
従って、第１の色素増感型太陽電池層１１１の配設されている第１の領域Ｅ１自体が、そのまま背景領域Ｂ１の部分となる。
【００５９】
時字Ｔは、例えば、図１に示すように、平面視略長方形の模様であって、円周方向に等間隔に１２箇所に設けられている。この時字Ｔが指針８ｂによって指示されることによって、現在の時刻を知ることができるようになっている。
より具体的には、例えば、時字Ｔは、青色を呈している。即ち、図４に示すように、時字Ｔの部分は、第２の色素増感型太陽電池層１１２に対応する部分である。即ち、時字Ｔは、第２の色素増感型太陽電池層１１２の色と、背景領域Ｂ１の色である第１の色素増感型太陽電池層１１１の色とにより識別される。
従って、第２の色素増感型太陽電池層１１２の配設されている第２の領域Ｅ２自体が、そのまま時字Ｔの部分となる。
【００６０】
文字Ｌ１は、例えば、会社名、商品名等を示す文字情報である。具体的には、例えば、図１に示すように、時字Ｔの１２時に対応する部分の近傍に、「Ａ」、「Ｂ」、「Ｃ」、「Ｄ」の４文字のアルファベットが形成され、文字Ｌ１（「ＡＢＣＤ」）を構成している。
より具体的には、例えば、文字Ｌ１は、緑色を呈している。即ち、文字Ｌ１は、緑色の第３の光増感色素（図示省略）を有する第３の色素増感型太陽電池層（図示省略）に対応する部分である。即ち、文字Ｌ１は、第３の色素増感型太陽電池層の色と、背景領域Ｂ１の色である第１の色素増感型太陽電池層１１１の色とにより識別される。
【００６１】
次に、蓄光部材１３について説明する。
蓄光部材１３は、図３に示すように、色素増感型太陽電池１１の下板ガラスｇ２の外表面ｇ２１全域に配設されており、腕時計１００に入射する外光を蓄光可能に構成されている。そして、夜間等において外光が腕時計１００に入射しなくなってからも、所定の時間継続して光を発することができるようになっている。
この蓄光部材１３は、例えば、噴霧、印刷等により形成されるものであってもよいし、蓄光塗料等を塗付することにより形成されるものであってもよい。
【００６２】
次に、色素増感型太陽電池１１の製造方法について説明する。
図５、図６は、本発明にかかる色素増感型太陽電池１１の製造方法を説明するための図である。なお、ここでは、第１の光増感色素１１１ｃ及び第２の光増感色素１１２ｃを添加する方法について説明する。
【００６３】
（積層工程）
図５（ａ）に示すように、まず、上板ガラスｇ１の内表面ｇ１０（下面）に第１の透明電極１１１ａ（透明電極）を積層する。
具体的には、例えば、公知の真空蒸着法、スパッタリング法、化学的気相成長法（Chemical Vapor Deposition ；ＣＶＤ法）、物理的気相成長法（Physical Vapor Deposition；ＰＶＤ法）、ゾルゲル法等により、第１の透明電極１１１ａを積層する。
【００６４】
次いで、第１の透明電極１１１ａ上に、金属酸化物層であるＴｉＯ2層１１１ｂを積層する。
具体的には、例えば、多孔質のＴｉＯ2を含有する懸濁液を塗付し、乾燥する方法、真空蒸着法、スパッタリング法、ＣＶＤ法、ＰＶＤ法、ゾルゲル法等によりＴｉＯ2層１１１ｂを積層する。
【００６５】
（第１の塗付工程）
次いで、図５（ｂ）に示すように、ＴｉＯ2層１１１ｂの所定の領域に第１のレジストＲ１を塗付した後、フォトリソグラフィによってパターニングを行う。ここで、所定の領域とは、例えば、第１の光増感色素１１１ｃ（例えば、オレンジ色の光増感色素）を添加する予定領域以外の領域を指すものとし、この予定領域以外の領域に第１のレジストＲ１が残存するようにパターニングを行う。
（第１の添加工程）
次いで、ＴｉＯ2層１１１ｂの第１のレジストＲ１が塗付されていない領域に第１の光増感色素１１１ｃを添加する。具体的には、例えば、第１の光増感色素１１１ｃをアルコール等の溶媒に溶解させた溶液を調製し、次いで、上板ガラスｇ１をその溶液に浸漬させた後、乾燥させることにより、ＴｉＯ2層１１１ｂに第１の光増感色素１１１ｃを侵入、吸着させる。
【００６６】
（第２の塗付工程）
次いで、図５（ｃ）に示すように、ＴｉＯ2層１１１ｂに塗付されている第１のレジストＲ１を除去した後、第１の光増感色素１１１ｃを添加した領域にのみ第２のレジストＲ２を塗付する。
この第１のレジストＲ１の除去は、例えば、第１のレジストＲ１の除去剤等を用いて行う。
（第２の添加工程）
次いで、ＴｉＯ2層１１１ｂの第１のレジストＲ１を除去した領域に、第１の光増感色素１１１ｃと異なる色の第２の光増感色素１１２ｃ（例えば、青色の光増感色素）を添加する。具体的には、例えば、第２の光増感色素１１２ｃをアルコール等の溶媒に溶解させた溶液を調製し、次いで、上板ガラスｇ１をその溶液に一定時間浸漬させることにより、ＴｉＯ2層１１１ｂに第２の光増感色素１１２ｃを侵入、吸着させる。
【００６７】
（最終工程）
次いで、図６（ａ）、（ｂ）に示すように、例えば、第２のレジストＲ２をレジスト除去剤等で除去した後、第１の透明電極１１１ａと対向するように第２の透明電極１１１ｄを有する下板ガラスｇ２を配置し（図６（ａ））、上板ガラスｇ１と下板ガラスｇ２との間に電解質液１１１ｅを注入し（図６（ｂ））、この電解質液１１１ｅを熱可塑性樹脂等のシール部材１１ａ（図３参照）により封止する。
【００６８】
次に、図７を参照して、腕時計１００の内部構成について説明する。
図７に示すように、腕時計１００は、ＣＰＵ１０１、入力部１０２、指針駆動回路部１０３、ＲＡＭ１０４、ＲＯＭ１０５、計時回路部１０６、発振回路部１０７を備えて構成されており、発振回路部１０７を除く各部はバスＢにより電気的に接続されている。
【００６９】
ＣＰＵ１０１は、所定のタイミング或いは入力部１０２から入力された操作信号等に応じて、ＲＯＭ１０５内に格納された各種プログラムに基づいて各機能部への指示やデータの転送等を行う。特に、ＣＰＵ１０１は、例えば、計時回路部１０６で計数される現在時刻データに基づく時刻信号を指針駆動回路部１０３に出力して表示時刻を更新させる等の各種制御を行う。
【００７０】
入力部１０２は、腕時計１００に各種機能を実行させるためのスイッチ１０２ａ〜ｄ（図１参照）等で構成される。そして、これらのスイッチ１０２ａ〜ｄが操作されたときには、対応するスイッチ１０２ａ〜ｄの操作信号がＣＰＵ１０１に出力される。
【００７１】
指針駆動回路部１０３は、アナログ指針機構８の一部を構成する回路であり、例えば、計時回路部１０６による現在時刻データに基づいて駆動信号を出力し、指針を運針させ、時刻指示を行わせる。
【００７２】
ＲＡＭ１０４は、ＣＰＵ１０１の制御の下、ＣＰＵ１０４で処理されたデータを一時的に記憶する。
ＲＯＭ１０５は、主に、腕時計１００にかかるシステムプログラム等を記憶する。
【００７３】
計時回路部１０６は、常時一定周波数の信号を出力する発振回路部１０７に接続され、発振回路部１０７から出力される信号を計数して、現在時刻データ等を得る。そして、当該現在時刻データをＣＰＵ１０１に出力する。
【００７４】
次に、上記構成の腕時計１００の動作について説明する。
最初に、外光が入射する場合における腕時計１００の動作の一例について説明する。
太陽光、室内灯の光等の外光が時計ガラス３の太陽光入射面側から入射すると、入射した光は色素増感型太陽電池１１の上板ガラスｇ１を透過し、第１の色素増感型太陽電池層１１１の第１の光増感色素１１１ｃ及び第２の色素増感型太陽電池層１１２の第２の光増感色素１１２ｃ（図４参照）に吸収されることにより光電変換がなされ、発電が行われる。そして、この発電により得られた電力は、アナログ指針機構８等の駆動電力として用いられるとともに、余った電力は二次電池９に充電される。
このとき、腕時計１００に入射した外光は、色素増感型太陽電池１１の下板ガラスｇ２に設けられた蓄光部材１３に蓄えられる。
【００７５】
次に、外光が入射しない場合における腕時計１００の動作の一例について説明する。
夜間においては、蓄光部材１３に蓄えられている光が発せられ、時字Ｔが識別可能となるので、現在の時刻が視認可能な状態となる。
なお、夜間、暗所等においては、腕時計１００の指針８ｂは、二次電池９に充電されている電力により運針される。
【００７６】
以上説明した腕時計１００によれば、第１の色素増感型太陽電池層１１１の色と第２の色素増感型太陽電池層１１２の色とにより識別される時字Ｔを備えている。従って、これら色素増感型太陽電池層が、光電変換と装飾（時字）の両方の機能を備えることとなるので、色素増感型太陽電池１１の発電量を減少させることなく装飾領域を増やすことができることとなって、装飾の自由度を向上させることができる。これにより、ユーザのニーズにより応えることができる。
また、色素増感型太陽電池１１の下板ガラスｇ２に蓄光部材１３が設けられており、外光を蓄えた蓄光部材１３が夜間に発光するので、夜間でも背景領域Ｂ１、時字Ｔ、文字Ｌ１の各色を視認することができるとともに、蓄光部材１３の発光により発電を行うことができるので、より発電効率を向上させることができる。
【００７７】
なお、上記実施形態においては、光透過性の下板ガラスｇ２を用いる構成を示したが、下板ガラスｇ２の替わりに、非光透過性の基板を用いる構成としてもよい。
また、色素増感型太陽電池層の数は、３層に限定されるものではなく、デザインに応じて適宜設定されるものとする。
【００７８】
また、金属酸化物層は、ＴｉＯ2層１１１ｂに限定されるものではなく、例えば、酸化亜鉛（ＺｎＯ）層等であってもよい。
【００７９】
（変形例）
次に、腕時計１００の変形例について説明する。上記実施形態１においては、蓄光部材１３は下板ガラスｇ２の外表面ｇ２１全域に設けられている構成を示したが、蓄光部材１３を、時字Ｔの真下に対応する部分にのみ設けるとともに、時針８１、分針８２、秒針８３の各指針８ｂの太陽光入射面に蓄光塗料等の蓄光部材１３を塗付する構成とすることもできる。
【００８０】
即ち、上記実施形態１においては、夜間等に蓄光部材１３から発せられる光により背景領域Ｂ１、時字Ｔ、文字Ｌ１（図１参照）全てが視認される構成であるのに対して、上記変形例においては、蓄光部材１３から発せられる光により時字Ｔの部分と、指針８ｂとが視認される構成である。従って、夜間等における時刻視認を可能としつつ、蓄光部材１３の使用量を低減させることができる。
【００８１】
［実施形態２］
次に、図８を参照して、本発明にかかる実施形態２の装飾装置２００について説明する。図８は、本発明にかかる実施形態２の装飾装置の要部の断面図である。なお、実施形態２は、装飾部２０以外の構成については実施形態１と同様であるので、同様の構成については同一の符号を付し、詳細な説明は省略する。
【００８２】
図８に示すように、色素増感型太陽電池２１の上板ガラスｇ１の外表面ｇ１１には、装飾部２０が植字されている。より具体的には、上板ガラスｇ１の第２の色素増感型太陽電池層１１２に対応する領域に植字されている。
【００８３】
装飾部２０は、例えば、図１に示す時字Ｔ等に相当する図形、又は、図１に示す「Ａ」のような文字Ｌ１等に相当する文字、或いは、格子状模様、同心円状模様、放射状模様のような模様等を含み、上板ガラスｇ１から時計ガラス３側に向かって突出して形成されている。
装飾部２０は、例えば、金属部材等により構成されているが、第２の色素増感型太陽電池層１１２（第２の光増感色素１１２ｃ）が外光を効率よく吸収できるように、光透過性の部材により構成されているのが好適である。
【００８４】
以上説明した実施形態２の装飾装置２００によれば、装飾部２０が上板ガラスｇ１の外表面ｇ１１に植字されているので、より多様な装飾を施すことができる。
また、植字により立体的に装飾することも可能となるので、より装飾のバリエーションを増やすことができる。
また、装飾部２０を、白蝶貝等の貝類や、オパール等の輝石類により構成し、より高級感を備えることができる。
【００８５】
なお、装飾部２０を下板ガラスｇ２の外表面ｇ２１に貼付けることにより構成してもよい。
さらに、装飾部２０は、上板ガラスｇ１の外表面ｇ１１及び下板ガラスｇ２の外表面ｇ２１の両方のガラスに植字又は貼付されていてもよい。
また、装飾部２０の植字方法又は貼付方法は、特に限定されるものではなく、手作業、自動作業の如何も問わない。
【００８６】
［実施形態３］
次に、図９を参照して、本発明にかかる実施形態３の装飾装置３００について説明する。図９は、本発明にかかる実施形態３の装飾装置の要部の断面図である。なお、実施形態３は、装飾部３０以外の構成については実施形態１と同様であるので、同様の構成については同一の符号を付し、詳細な説明は省略する。
【００８７】
図９に示すように、色素増感型太陽電池３１の上板ガラスｇ１の外表面ｇ１１には、装飾部３０がエッチングにより形成されている。より具体的には、上板ガラスｇ１の第２の色素増感型太陽電池層１１２に対応する領域に、上板ガラスｇ１の外表面ｇ１１からその反対側の面に向かって凹状に形成されている。
【００８８】
装飾部３０を形成するためのエッチング処理は、例えば、次のようにして行う。先ず、上板ガラスｇ１の外表面ｇ１１に装飾部３０の形成部分以外の部分にレジスト（図示省略）を塗付し、装飾部３０の装飾パターンを形成し、次いで、この上板ガラスｇ１をエッチング溶液に浸漬させ、レジストが塗付されていない領域を削り取り、最後にレジストを除去する。
【００８９】
以上説明した実施形態３の装飾装置３００によれば、装飾部３０が上板ガラスｇ１の外表面ｇ１１にエッチングにより形成されているので、上板ガラスｇ１上に凹凸が形成されることとなって、多様な装飾を施すことができる。
【００９０】
なお、装飾部３０は、下板ガラスｇ２の外表面ｇ２１にエッチングにより形成されていてもよい。
さらに、装飾部３０は、上板ガラスｇ１の外表面ｇ１１及び下板ガラスｇ２の外表面ｇ２１の両方のガラスにエッチングにより形成されていてもよい。
また、エッチングにより形成される装飾部３０は、凹状に限定されるものではなく、例えば、装飾部３０の周辺領域をエッチング処理を施し、装飾部３０を凸状に形成してもよい。
【００９１】
［実施形態４］
次に、図１０を参照して、本発明にかかる実施形態４の装飾装置４００について説明する。図１０は、本発明にかかる実施形態４の装飾装置の要部を示す断面図である。なお、実施形態４は、装飾部４０以外の構成については実施形態１と同様であるので、同様の構成については同一の符号を付し、詳細な説明は省略する。
【００９２】
図１０に示すように、装飾装置４００の色素増感型太陽電池４１の下板ガラスｇ２の外表面ｇ２１には、装飾部４０が印刷されている。より具体的には、下板ガラスｇ２の第２の色素増感型太陽電池層１１２に対応する領域に印刷されている。
【００９３】
装飾部４０は、例えば、図１に示す時字Ｔ等に相当する図形、又は、図１に示す「Ａ」のような文字Ｌ１等に相当する文字、或いは、格子状模様、同心円状模様、放射状模様のような模様等を含む。
【００９４】
この装飾部４０は、例えば、非光透過性又は光透過性の塗料が下板ガラスｇ２の外表面ｇ２１に塗付されることにより印刷され、外光の透過量が他の部分と異なるように構成されることにより、外光により視認可能となっている。
また、装飾部４０の印刷領域以外の領域には、実施形態１に示した蓄光部材１３が配設されている。
【００９５】
以上説明した実施形態４の装飾装置４００によれば、装飾部４０が下板ガラスｇ２の外表面ｇ２１に印刷されているので、多様な装飾をより容易に施すことができる。また、装飾用の装飾板等を別途備える必要が無くなることとなって、装飾装置４００の薄型化を図ることができる。
【００９６】
なお、装飾部４０は、上板ガラスｇ１の外表面ｇ１１に印刷されていてもよい。この場合は、第２の色素増感型太陽電池層１１２（第２の光増感色素１１２ｃ）が外光を効率よく吸収できるように、光透過性の印刷用塗料が塗付されるのが望ましい。
さらに、装飾部４０は、上板ガラスｇ１の外表面ｇ１１及び下板ガラスｇ２の外表面ｇ２１の両方のガラスに印刷されていてもよい。
【００９７】
また、装飾部４０の印刷方法は特に限定されるものではなく、例えば、数種類の印刷方法を用いて印刷を行い、より視認性、デザイン性を高めるようにしてもよい。
【００９８】
［実施形態５］
次に、図１１を参照して、本発明にかかる実施形態５の装飾装置５００について説明する。図１１は、本発明にかかる実施形態５の装飾装置の断面図である。なお、実施形態５は、装飾板５０以外の構成については実施形態１と同様であるので、同様の構成については同一の符号を付し、詳細な説明は省略する。
【００９９】
図１１に示す装飾装置５００は、色素増感型太陽電池５１の太陽光入射面と反対側に配設された装飾板５０を備えて構成されている。
装飾板５０は、太陽光入射面５０ａに装飾部５０１を有している。この装飾部５０１は、例えば、図１に示す時字Ｔ等に相当する図形、又は、図１に示す「Ａ」のような文字Ｌ１等に相当する文字、或いは、格子状模様、同心円状模様、放射状模様のような模様等を含み、外光が入射すると色素増感型太陽電池５１を透過して、装飾板５０の装飾部５０１が視認可能な状態となる。
本実施形態においては、装飾板５０は、光透過性、非光透過性の何れであってもよい。
【０１００】
また、この装飾板５０には、色素増感型太陽電池５１の第１の色素増感型太陽電池層１１１（図４参照）の色（例えば、オレンジ色）及び第２の色素増感型太陽電池層１１２の色（例えば、青色）と異なる色（例えば、赤色）が着色されている。そして、この装飾板５０の色との色素の各色素増感型太陽電池層の色とが合成された色が視認されるようになっている。
【０１０１】
以上説明した実施形態５の装飾装置５００によれば、色素増感型太陽電池５１の太陽光入射面側と反対側に配設された装飾板５０を備えているので、色素増感型太陽電池５１による装飾と、装飾板５０の装飾部５０１の装飾とが重なって視認されることとなって、色素増感型太陽電池５１の発電量を低下させることなくデザイン性の向上を図ることができる。
また、装飾板５０には、各色素増感型太陽電池層の色と異なる色が着色されているので、色素増感型太陽電池５１の色と、装飾板５０の色との合成色が視認されることとなって、より一層色彩のバリエーションを増やすことができる。
【０１０２】
なお、装飾板５０は、色素増感型太陽電池５１よりも太陽光入射面側に設ける構成としてもよい。この場合、色素増感型太陽電池５１が外光を吸収できるように、光透過性を有するものを用いる。
【０１０３】
［実施形態６］
次に、図１２〜図１４を参照して、本発明にかかる実施形態６の腕時計６００について説明する。図１２は、本発明にかかる実施形態６の腕時計の一部省略平面図、図１３は、図１２ＸＩＩＩ−ＸＩＩＩ線における腕時計の装飾装置の断面図、図１４は、図１３の装
飾装置の要部の拡大図である。なお、実施形態６は、装飾装置６０の色素増感型太陽電池６１以外の構成については実施形態１と同様であるので、同様の構成については同一の符号を付し、詳細な説明は省略する。
【０１０４】
ここで、本実施形態における色素増感型太陽電池６１について説明する。
図１３、図１４に示すように、色素増感型太陽電池６１は、光透過性の第１の基板としての中間ガラスｇ３と、この中間ガラスｇ３よりも太陽光入射面側と反対側に配設された第２の基板としての光透過性の下板ガラスｇ４と、中間ガラスｇ３よりも太陽光入射面側に配設された光透過性の第３の基板としての上板ガラスｇ５と、中間ガラスｇ３と下板ガラスｇ４との間に配設された第１の色素増感型太陽電池層６１１と、中間ガラスｇ３と上板ガラスｇ５との間に配設された第２の色素増感型太陽電池層６１２等を備えている。
【０１０５】
図１２に示すように、上板ガラスｇ５は、平面視略長方形状を為している。また、中間ガラスｇ３は、各上板ガラスｇ５よりも大きい面積を有している。また、下板ガラスｇ４は、中間ガラスｇ３と同様の面積を有している。
第１の色素増感型太陽電池層６１１は、第２の色素増感型太陽電池層６１２よりも大きい受光面積を有する。
このように、第２の色素増感型太陽電池層６１２は、第１の色素増感型太陽電池層６１１の受光面に対して垂直方向に異なる位置に配設されている。
【０１０６】
第１の色素増感型太陽電池層６１１は、例えば、オレンジ色の第１の光増感色素（図示省略）を有している。従って、第１の色素増感型太陽電池層６１１は、オレンジ色である。
そして、この第１の色素増感型太陽電池層６１１により、図１２に示す背景領域Ｂ２が構成されている。即ち、背景領域Ｂ２は、第１の色素増感型太陽電池層の色であるオレンジ色を呈している。
【０１０７】
第２の色素増感型太陽電池層６１２は、例えば、青色の第２の光増感色素（図示省略）を有している。従って、第２の色素増感型太陽電池層６１２は、青色である。
そして、この第２の色素増感型太陽電池層６１２と、各上板ガラスｇ１とにより、指針８ｂによって指示される時字ｔ（ｔ１〜ｔ１２）が構成されている。
【０１０８】
時字ｔ（ｔ１〜ｔ５、ｔ７〜ｔ１２）は、図１３、図１４に示すように、例えば、各上板ガラスｇ５が、中間ガラスｇ３の太陽光入射面の周縁部に等間隔に円周方向に１２箇所に配置され、第１の色素増感型太陽電池層６１１の色（オレンジ色）と、第２の色素増感型太陽電池層６１２の色（青色）とが重なることにより、オレンジ色と青色との合成色として視認される。
即ち、時字ｔ（ｔ１〜ｔ５、ｔ７〜ｔ１２）は、第１の色素増感型太陽電池層６１１の色（オレンジ色）と、第２の色素増感型太陽電池層６１２の色（青色）とにより識別される。
【０１０９】
また、時字ｔ６を構成する第２の色素増感型太陽電池層６１２については、第１の色素増感型太陽電池層６１１と重ならないような構成となっている。例えば、図１３に示すように、第１の色素増感型太陽電池層６１１は、その時字ｔ６に対応する領域にのみ空間部６１１ａが形成されるように、シール部材１１ａにより封止されている。即ち、時字ｔ６は、第２の色素増感型太陽電池層６１２の色（青色）として視認される。
なお、時字ｔ６を構成する第２の色素増感型太陽電池層６１２を透過した外光は、第１の色素増感型太陽電池層６１１の空間部６１１ａを通過し、蓄光部材１３に蓄光されるようになっている。
【０１１０】
また、時字ｔ（ｔ１〜ｔ１２）を構成する各第２の色素増感型太陽電池層６１２の各透明電極同士は、図１２に示す電極接続部６２によって電気的に接続されている。
より具体的には、例えば、時字ｔ１を構成する第２の色素増感型太陽電池層６１２の第１の透明電極（図示省略）と、時字ｔ１と隣接する時字ｔ２を構成する第２の色素増感型太陽電池層６１２の第２の透明電極（図示省略）とが、電極接続部６２によって並列に接続されている。
同様に、時字ｔ１を構成する第２の色素増感型太陽電池層６１２の第２の透明電極（図示省略）と、時字ｔ２を構成する第２の色素増感型太陽電池層６１２の第１の透明電極（図示省略）とについても、電極接続部６２によって並列に接続されている。
この電極接続部６２は、例えば、図１２に示すように、時字ｔ１〜ｔ１２のうち、隣り合う４箇所ずつの時字ｔ（例えば、時字ｔ１〜ｔ４、時字ｔ５〜ｔ８、時字ｔ９〜ｔ１２）について、上記のように各透明電極間を接続するように設けられている。
【０１１１】
以上説明した実施形態６の腕時計６００によれば、第１の色素増感型太陽電池層６１１の色と、第２の色素増感型太陽電池層６１２の色とにより識別される時字ｔ１〜ｔ１２を備えている。従って、各色素増感型太陽電池層が光電変換と装飾（時字）の両方の機能を備えることとなるので、色素増感型太陽電池６１の発電量を減少させることなく装飾領域を増やすことができることとなって、装飾の自由度を向上させることができる。これにより、ユーザのニーズにより応えることができる。
【０１１２】
また、第１の色素増感型太陽電池層６１１が第２の色素増感型太陽電池層６１２よりも大きい受光面積を有し、時字ｔ１〜ｔ５、ｔ７〜ｔ１２を構成する第２の色素増感型太陽電池層６１２は、第１の色素増感型太陽電池層６１１と重なるように配設されている。従って、外光の受光面積が大きくなるので、色素増感型太陽電池６１の発電量をより増加させることができることとなって、より消費電力量の大きい装置にも対応できるようになる。
【０１１３】
また、上板ガラスｇ５と中間ガラスｇ３との間に第１の色素増感型太陽電池層６１１が配設されるとともに、中間ガラスｇ３と下板ガラスｇ４との間に第２の色素増感型太陽電池層６１２が配設されているので、各色素増感型太陽電池層を重ねても、基板数を減らすことができることとなって、色素増感型太陽電池６１の薄型化を図ることができる。
【０１１４】
なお、色素増感型太陽電池層の数は、２層に限定されるものではなく、デザインに応じて適宜設定するものとする。
また、時字ｔを構成する上板ガラスｇ１や装飾板６３の形状は、平面視略長方形状に限定されるものではなく、円形状、楕円形状、アラビア数字の形状等であってもよい。さらに、上板ガラスｇ１の形状によって、時字ｔの他、図１に示す文字Ｌ１に相当するような文字、又は、模様等を第１の色素増感型太陽電池層６１１の色及び第２の色素増感型太陽電池層６１２の色により識別可能に構成してもよい。
【０１１５】
また、電極接続部６２による透明電極間の接続は、並列接続に限定されるものではなく、直列接続であってもよい。
また、隣り合う４箇所の時字ｔにおける透明電極間の接続に限定されるものではなく、適宜設定可能なものとする。
【０１１６】
また、上記実施形態においては、光透過性の下板ガラスｇ４を用いる構成を示したが、下板ガラスｇ４を用いる替わりに、非光透過性の基板を用いる構成としてもよい。
【０１１７】
［実施形態７］
次に、図１５〜図１８を参照して、本発明にかかる実施形態７の携帯電話機７００について説明する。
図１５は、本発明にかかる実施形態７の携帯電話機を示す平面図、図１６は、図１５のＸＶＩ−ＸＶＩ線における携帯電話機の断面図、図１７は、図１６の携帯電話機の色素増
感型太陽電池を示す拡大図、図１８は、図１５の携帯電話機の要部構成を示すブロック図である。なお、実施形態７は、装飾装置７０を携帯電話機７００に適用した点でのみ実施形態１と異なるので、実施形態１と同様の構成については同一の符号を付し、詳細な説明を省略する。
【０１１８】
図１５に示すように、電子機器としての携帯電話機７００は、例えば、折畳み式であって、キー入力部７１０ａを有する第１の筐体７１０と、この第１の筐体７１０に回動自在に設けられた機器ケースとしての第２の筐体７２０と、この第２の筐体７２０に収納される装飾装置７０を備えて構成されている。
【０１１９】
装飾装置７０は、色素増感型太陽電池７１と、時刻等を液晶表示させる液晶表示部７２と、色素増感型太陽電池７１及び液晶表示部７２の太陽光入射面側と反対側に配設されるＥＬ発光素子７３等を備えている。
【０１２０】
色素増感型太陽電池７１には、図１５に示す背景領域Ｂ３と文字Ｌ２とが形成されている。より具体的には、例えば、図１７に示すように、第１の色素増感型太陽電池層７１１の色（第１の光増感色素７１１ｃの色；例えば、赤色）が、背景領域Ｂ３の色を構成するとともに、第２の色素増感型太陽電池層７１２の色（第２の光増感色素７１２ｃの色；例えば、青色）が、各アルファベット「Ａ」、「Ｉ」、「Ｃ」の色を構成する。即ち、第１の色素増感型太陽電池層７１１の色と、第２の色素増感型太陽電池層７１２の色とにより、文字Ｌ２（「ＡＩＣ」）が識別されるようになっている。
【０１２１】
液晶表示部７２は、例えば、図１６に示すように、上板ガラスｇ６と下板ガラスｇ７との間であって、第１の色素増感型太陽電池層７１１及び第２の色素増感型太陽電池層７１２が配設されている領域の下方の領域に配設された液晶部７２ａを備えて構成されている。
つまり、上板ガラスｇ６と下板ガラスｇ７との間に、第１の色素増感型太陽電池層７１１と、第２の色素増感型太陽電池層７１２と、液晶部７２ａとがそれぞれ挟持され一体的に構成されている。
【０１２２】
また、上板ガラスｇ６の外表面ｇ６１の液晶部７２ａに対応する位置には、透過型偏光板７４が配設されているとともに、下板ガラスｇ７の外表面ｇ７１の液晶部７２ａに対応する位置には、半透過型反射板付偏光板７５が配設されている。
【０１２３】
液晶部７２ａは、例えば、上板ガラスｇ６の外表面ｇ６１と反対側の面に備えられた上透明電極（図示省略）と、下板ガラスｇ７の外表面ｇ７１と反対側の面に備えられた下透明電極（図示省略）と、その上透明電極と下透明電極の間に封止される液晶層（図示省略）等により構成されている。なお、液晶層には、例えば、ツイスト角が９０度のツイストネマティック（ＴＮ）液晶を使用する。
そして、ＥＬ発光素子７３から発せられる光が半透過反射板付偏光板７５を介して太陽光入射面側へ透過するようになっており、その光を液晶部７２ａへ照射することができるようになっている。
【０１２４】
この液晶部７２ａは、図１８に示す表示駆動回路部７０１と電気的に接続されている。そして、例えば、表示駆動回路部７０１が、ＣＰＵ１０１から出力された出力指示信号に基づいて一対の透明電極間（図示省略）に所定の電圧を印加すると、その印加状態に応じて、時刻、日付等の情報をデジタル表示できるようになっている。
【０１２５】
ＥＬ発光素子７３は、第２の筐体７２０の裏面側（太陽光入射面側と反対側）の内壁部７２０ａに基板７２１を介して固定されており、色素増感型太陽電池７１の第１の色素増感型太陽電池層７１１及び第２の色素増感型太陽電池層７１２と、液晶表示部７２の液晶部７２ａの両方に光を発することができるように設けられている。
このＥＬ発光素子７３も、図１８に示す表示駆動回路７０１と電気的に接続されている。そして、キー入力部７１０ａの所定のキーを入力したときや、折畳み状態から第２の筐体７２０を回動させたときに、表示駆動回路部７０１からＥＬ発光素子７３へ発光信号が出力され、ＥＬ発光素子７３から色素増感型太陽電池７１及び液晶部７２ａに光が発せられることにより、文字Ｌ２及び液晶表示部７２の表示を視認できるようになっている。
【０１２６】
以上のように、実施形態７の携帯電話機７００によれば、第１の色素増感型太陽電池層７１１の色と、第２の色素増感型太陽電池層７１２の色とにより識別される文字Ｌ２を備えている。従って、各色素増感型太陽電池層が光電変換と装飾（文字）の両方の機能を備えることとなるので、色素増感型太陽電池７１の発電量を減少させることなく装飾領域を増やすことができることとなって、装飾の自由度を向上させることができる。これにより、ユーザのニーズにより応えることができる
また、色素増感型太陽電池７１自体が装飾の機能を有するので、別途装飾用の装飾部材等を設ける必要がなくなるので、携帯電話機７００を薄型化できる。
【０１２７】
また、色素増感型太陽電池７１と、この色素増感型太陽電池７１よりも太陽光入射面側と反対側に配設され、当該色素増感型太陽電池７１に光を照射するＥＬ発光素子７３を備えているので、色素増感型太陽電池７１が、外光及びＥＬ発光素子７３から照射される光により発電できることとなって、色素増感型太陽電池７１の発電量をより増加させることができる。
【０１２８】
また、ＥＬ発光素子７３が発する光が、色素増感型太陽電池７１や液晶部７２ａを透過し、携帯電話機７００の太陽光入射面側に到達する。従って、暗所においてＥＬ発光素子７３を発光させることにより、文字Ｌ２、液晶表示部７２等をその光で照射することができることとなって、携帯電話機７００が示す時刻や装飾等を視認することができる。
【０１２９】
また、上板ガラスｇ６と下板ガラスｇ７との間に液晶部７２ａを挟持するという一般的な液晶表示部７２を形成する構成において、色素増感型太陽電池７１も上板ガラスｇ６と下板ガラスｇ７との間に備えることができるので、色素増感型太陽電池７１と液晶表示部７２とをそれぞれ厚さ方向に設ける必要がなくなることとなって、携帯電話機７００の薄型化できる。
【０１３０】
なお、携帯電話機７００の色素増感型太陽電池７１には、文字Ｌ２のみが形成されているが、ロゴマーク等の図形、模様であってもよい。
また、実施形態２で示したように、装飾部を上板ガラスｇ６の外表面ｇ６１に植字又は貼付してもよいし、実施形態３で示したように、装飾部を上板ガラスｇ６の外表面ｇ６１にエッチングにより形成してもよいし、実施形態４で示したように、色素増感型太陽電池７１の下板ガラスｇ７の外表面ｇ７１に装飾部を印刷してもよい。
【０１３１】
また、ＥＬ発光素子７３を設ける代わりに、ＬＥＤと、このＬＥＤから発せられる光を導き入れて色素増感型太陽電池７１に向けて照射する導光板等を設ける構成としてもよい。
さらに、実施形態５に示した光透過性の装飾板を備える構成としてもよい。
【０１３２】
なお、以上の実施形態においては、電子機器として腕時計、携帯電話機を例に説明したが、本発明はこれに限定されるものではなく、電子機器は、ＰＤＡ、パーソナルコンピュータ、自動車の計器類など、各種電子機器であってもよい。
【０１３３】
また、時字は、例えば、アラビア数字、ローマ数字等の数字や、円形、楕円形等の図形を形成してもよい。
また、時字、文字の配置数や配置箇所についても限定されるものではない。
【０１３４】
また、上板ガラスと下板ガラスの両方に装飾部を形成する場合、一方のガラスに印刷し、他方のガラスに植字又は貼付する構成としてもよい。同様に、一方のガラスに植字又は貼付し、他方のガラスにエッチングを施す構成としてもよいし、一方のガラスに印刷し、他方のガラスにエッチングを施す構成としてもよい。
【符号の説明】
【０１３５】
２  時計ケース（機器ケース）
８  アナログ指針機構（駆動部）
８ｂ  指針
１０、６０、７０、２００、３００、４００、５００  装飾装置
１１、２１、３１、４１、５１、６１、７１  色素増感型太陽電池
１３  蓄光部材
２０、３０、４０、５０１  装飾部
５０  装飾板
１００、６００  腕時計（電子機器）
１１１、６１１、７１１  第１の色素増感型太陽電池層
１１２、６１２、７１２  第２の色素増感型太陽電池層
１１１ａ  第１の透明電極（透明電極）
１１１ｂ  ＴｉＯ2層（金属酸化物層）
１１１ｃ、７１１ｃ  第１の光増感色素
１１２ｃ、７１２ｃ  第２の光増感色素
７００  携帯電話機（電子機器）
７２０  第２の筐体（機器ケース）
ｇ１、ｇ６  上板ガラス（第１の基板）
ｇ２、ｇ７  下板ガラス（第２の基板）
ｇ３  中間ガラス（第１の基板）
ｇ４  下板ガラス（第２の基板）
ｇ５  上板ガラス（第３の基板）
Ｔ、ｔ  時字
Ｒ１  第１のレジスト
Ｒ２  第２のレジスト
【図１】
2010135334.tif 000003
【図２】
2010135334.tif 000004
【図３】
2010135334.tif 000005
【図４】
2010135334.tif 000006
【図５】
2010135334.tif 000007
【図６】
2010135334.tif 000008
【図７】
2010135334.tif 000009
【図８】
2010135334.tif 000010
【図９】
2010135334.tif 000011
【図１０】
2010135334.tif 000012
【図１１】
2010135334.tif 000013
【図１２】
2010135334.tif 000014
【図１３】
2010135334.tif 000015
【図１４】
2010135334.tif 000016
【図１５】
2010135334.tif 000017
【図１６】
2010135334.tif 000018
【図１７】
2010135334.tif 000019
【図１８】
2010135334.tif 000020
【手続補正書】
【提出日】平成22年2月4日(2010.2.4)
【手続補正１】
【補正対象書類名】明細書
【補正対象項目名】０００６
【補正方法】変更
【補正の内容】
【０００６】
上記課題を解決するために、請求項１記載の発明は、色素増感型太陽電池であって、
光透過性の第１の基板（例えば、図４の上板ガラスｇ１、図１７の上板ガラスｇ６）と、
この第１の基板に対向して配設された第２の基板（例えば、図４の下板ガラスｇ２、図１７の下板ガラスｇ７）と、
前記第１の基板と前記第２の基板との間に配設された第１の色素増感型太陽電池層（例えば、図４の第１の色素増感型太陽電池層１１１、図１７の第１の色素増感型太陽電池層７１１）と、
前記第１の基板と前記第２の基板との間であって、前記第１の色素増感型太陽電池層が配設された領域とは異なる領域に配設され、前記第１の色素増感型太陽電池層と色が異なる第２の色素増感型太陽電池層（例えば、図４の第２の色素増感型太陽電池層１１２、図１７の第２の色素増感型太陽電池層７１２）と、
前記第２の基板に形成された装飾部（例えば、図１０の装飾部４０）を備え、
前記第２の基板は、光透過性の基板であることを特徴とする。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
請求項６記載の発明は、請求項２記載の色素増感型太陽電池であって、
前記装飾部は、前記第２の基板の外表面（例えば、図１０の外表面ｇ２１）に印刷されていることを特徴とする。
【手続補正４】
【補正対象書類名】明細書
【補正対象項目名】００１３
【補正方法】変更
【補正の内容】
【００１３】
請求項７記載の発明は、請求項２記載の色素増感型太陽電池であって、
前記装飾部は、前記第２の基板の外表面に植字又は貼付されていることを特徴とする。
【手続補正５】
【補正対象書類名】明細書
【補正対象項目名】００１４
【補正方法】変更
【補正の内容】
【００１４】
請求項８記載の発明は、請求項２記載の色素増感型太陽電池であって、
前記装飾部は、前記第２の基板の外表面にエッチングにより形成されていることを特徴とする。
【手続補正６】
【補正対象書類名】明細書
【補正対象項目名】００１５
【補正方法】変更
【補正の内容】
【００１５】
請求項９記載の発明は、色素増感型太陽電池であって、
第１の色素増感型太陽電池層（例えば、図１４の第１の色素増感型太陽電池層６１１）
この第１の色素増感型太陽電池層の受光面に対して垂直方向に異なる位置に配置された第２の色素増感型太陽電池層（例えば、図１４の第２の色素増感型太陽電池層６１２）とを備え、
前記第１の色素増感型太陽電池層の色と前記第２の色素増感型太陽電池層の色とが異なることを特徴とする。
【手続補正７】
【補正対象書類名】明細書
【補正対象項目名】００１６
【補正方法】変更
【補正の内容】
【００１６】
請求項１０記載の発明は、請求項９記載の色素増感型太陽電池であって、
前記第１の色素増感型太陽電池層は、前記第２の色素増感型太陽電池層よりも大きい受光面積を有し、当該第２の色素増感型太陽電池層と重なるように配設されていることを特徴とする。
【手続補正８】
【補正対象書類名】明細書
【補正対象項目名】００１７
【補正方法】変更
【補正の内容】
【００１７】
請求項１１記載の発明は、請求項１０記載の色素増感型太陽電池であって、
光透過性の第１の基板（例えば、図１４の中間ガラスｇ３）と、
この第１の基板よりも太陽光入射面側と反対側に配設された第２の基板（例えば、図１４の下板ガラスｇ４）と、
前記第１の基板よりも太陽光入射面側に配設された光透過性の第３の基板（例えば、図１４の上板ガラスｇ５）とを備え、
前記第１の色素増感型太陽電池層及び前記第２の色素増感型太陽電池層のうち、一方が、前記第１の基板と前記第２の基板との間に配設され、他方が、前記第１の基板と前記第３の基板との間に配設されていることを特徴とする。
【手続補正９】
【補正対象書類名】明細書
【補正対象項目名】００１８
【補正方法】変更
【補正の内容】
【００１８】
請求項１２記載の発明は、装飾装置であって、
請求項１〜１１の何れか一項に記載された色素増感型太陽電池と、
前記第２の基板よりも太陽光入射面側と反対側に配設され、外光を蓄光する蓄光部材（例えば、図４の蓄光部材１３）とを備え、
前記第２の基板は、光透過性の基板であることを特徴とする。
【手続補正１０】
【補正対象書類名】明細書
【補正対象項目名】００１９
【補正方法】変更
【補正の内容】
【００１９】
請求項１３記載の発明は、装飾装置であって、
請求項１〜１１の何れか一項に記載された色素増感型太陽電池（例えば、図１１の色素増感型太陽電池５１）と、
この色素増感型太陽電池よりも太陽光入射面側と反対側に配設された装飾板（例えば、図１１の装飾板５０）とを備え、
前記第２の基板は、光透過性の基板であることを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
請求項１４記載の発明は、電子機器（例えば、図１の腕時計１００、図１５の携帯電話機７００）であって、
請求項１２〜１３の何れか一項に記載された装飾装置を機器ケース（例えば、図１の時計ケース２、図１５の第２の筐体７２０）に配置したことを特徴とする。
【手続補正１４】
【補正対象書類名】明細書
【補正対象項目名】００２３
【補正方法】変更
【補正の内容】
【００２３】
請求項１５記載の発明は、請求項１４記載の電子機器であって、
前記色素増感型太陽電池よりも太陽光入射面側に配設され、時刻を指示する指針（例えば、図１、図１２の指針８ｂ）と、
この指針を駆動させる駆動部（例えば、図２のアナログ指針機構８）と、
前記第１の色素増感型太陽電池層の色と前記第２の色素増感型太陽電池層の色とにより認識されるとともに、前記指針によって指示される時字（例えば、図１の時字Ｔ、図１２の時字ｔ）と、
を備えていることを特徴とする。
【手続補正１５】
【補正対象書類名】明細書
【補正対象項目名】００２４
【補正方法】変更
【補正の内容】
【００２４】
請求項１６記載の発明は、色素増感型太陽電池の製造方法であって、
光透過基板（例えば、図５の上板ガラスｇ１）に透明電極（例えば、図５の第１の透明電極１１１ａ）を積層し、この透明電極に金属酸化物層（例えば、図５のＴｉＯ2層１１１ｂ）を積層する積層工程と、
前記金属酸化物層の所定の領域に第１のレジスト（例えば、図５の第１のレジストＲ１）を塗付する第１の塗付工程と、
前記金属酸化物層の前記第１のレジストが塗付された領域以外の領域に第１の光増感色素（例えば、図５の第１の光増感色素１１１ｃ）を添加する第１の添加工程と、
前記第１のレジストを除去し、前記第１の光増感色素が添加された領域に第２のレジスト（例えば、図５の第２のレジストＲ２）を塗付する第２の塗付工程と、
前記金属酸化物層の前記第１のレジストを除去した領域に、前記第１の光増感色素と異なる色の第２の光増感色素（例えば、図５の第２の光増感色素１１２ｃ）を添加する第２の添加工程と、
を備えていることを特徴とする。
【手続補正１６】
【補正対象書類名】明細書
【補正対象項目名】００２５
【補正方法】変更
【補正の内容】
【００２５】
請求項１記載の発明によれば、第１の色素増感型太陽電池層の色と第２の色素増感型太陽電池層の色とが異なるので、各色素増感型太陽電池層が別々の色で認識されることとなって、各色素増感型太陽電池層の色を利用した装飾を行うことができる。従って、色素増感型太陽電池層が光電変換と装飾の両方の機能を備えることとなるので、色素増感型太陽電池の発電量を減少させることなく装飾領域を増やすことができることとなって、装飾の自由度を向上させることができる。これにより、ユーザのニーズにより応えることができる。
請求項１記載の発明によれば、そればかりでなく、光透過性の第２の基板に形成された装飾部を備えているので、色素増感型太陽電池層による装飾と、第２の基板の装飾部の装飾とを重ねることにより、よりデザイン性を向上させることができる。
【手続補正１７】
【補正対象書類名】明細書
【補正対象項目名】００２６
【補正方法】変更
【補正の内容】
【００２６】
請求項２記載の発明によれば、請求項１記載の発明と同様の効果が得られるほかに、第１の基板に形成された装飾部を備えているので、色素増感型太陽電池層による装飾と、第１の基板の装飾部の装飾とを重ねることにより、よりデザイン性を向上させることができる。
【手続補正１８】
【補正対象書類名】明細書
【補正対象項目名】００２７
【補正方法】変更
【補正の内容】
【００２７】
請求項３記載の発明によれば、請求項２記載の発明と同様の効果が得られるほかに、装飾部は、第１の基板の外表面に印刷されているので、多様な装飾をより容易に設けることができる。
【手続補正１９】
【補正対象書類名】明細書
【補正対象項目名】００２８
【補正方法】変更
【補正の内容】
【００２８】
請求項４記載の発明によれば、請求項２記載の発明と同様の効果が得られるほかに、装飾部は、第１の基板の外表面に植字又は貼付されているので、より立体感、高級感ある装飾を施すことができる。
【手続補正２０】
【補正対象書類名】明細書
【補正対象項目名】００２９
【補正方法】変更
【補正の内容】
【００２９】
請求項５記載の発明によれば、請求項２記載の発明と同様の効果が得られるほかに、装飾部は、第１の基板の外表面にエッチングにより形成されているので、より一層多様な装飾を好適に施すことができる。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】変更
【補正の内容】
【００３１】
請求項６記載の発明によれば、請求項２記載の発明と同様の効果が得られるほかに、装飾部は、第２の基板の外表面に印刷されているので、多様な装飾をより容易に設けることができる。
【手続補正２３】
【補正対象書類名】明細書
【補正対象項目名】００３２
【補正方法】変更
【補正の内容】
【００３２】
請求項７記載の発明によれば、請求項２記載の発明と同様の効果が得られるほかに、装飾部は、第２の基板の外表面に植字又は貼付されているので、より立体感、高級感ある装飾を施すことができる。
【手続補正２４】
【補正対象書類名】明細書
【補正対象項目名】００３３
【補正方法】変更
【補正の内容】
【００３３】
請求項８記載の発明によれば、請求項２記載の発明と同様の効果が得られるほかに、装飾部は、第２の基板の外表面にエッチングにより形成されているので、より一層多様な装飾を好適に施すことができる。
【手続補正２５】
【補正対象書類名】明細書
【補正対象項目名】００３４
【補正方法】変更
【補正の内容】
【００３４】
請求項９記載の発明によれば、第１の色素増感型太陽電池層と、この第１の色素増感型太陽電池層の受光面に対して垂直方向に異なる位置に配設された第２の色素増感型太陽電池層を備え、第１の色素増感型太陽電池層の色と、第２の色素増感型太陽電池層の色とが異なるので、各色素増感型太陽電池層が別々の色で認識されることとなって、各色素増感型太陽電池層の色を利用した装飾を行うことができる。従って、色素増感型太陽電池層が光電変換と装飾の両方の機能を備えることとなるので、色素増感型太陽電池の発電量を減少させることなく装飾領域を増やすことができることとなって、装飾の自由度を向上させることができる。これにより、ユーザのニーズにより応えることができる。
【手続補正２６】
【補正対象書類名】明細書
【補正対象項目名】００３５
【補正方法】変更
【補正の内容】
【００３５】
請求項１０記載の発明によれば、請求項９記載の発明と同様の効果が得られるほかに、第１の色素増感型太陽電池層は、前記第２の色素増感型太陽電池層よりも大きい受光面積を有し、当該第２の色素増感型太陽電池層と重なるように配設されているので、外光の受光面積が大きくなる。従って、色素増感型太陽電池の発電量をより増加させることができることとなって、より消費電力量の大きい装置にも対応できるようになる。
【手続補正２７】
【補正対象書類名】明細書
【補正対象項目名】００３６
【補正方法】変更
【補正の内容】
【００３６】
請求項１１記載の発明によれば、請求項１０記載の発明と同様の効果が得られるほかに、第１の色素増感型太陽電池層及び第２の色素増感型太陽電池層のうち、一方が、光透過性の第１の基板と第２の基板との間に配設され、他方が、第１の基板と光透過性の第３の基板との間に配設されているので、色素増感型太陽電池層を重ねても、基板数を減らすことができることとなって、色素増感型太陽電池の薄型化を図ることができる。
【手続補正２８】
【補正対象書類名】明細書
【補正対象項目名】００３７
【補正方法】変更
【補正の内容】
【００３７】
請求項１２記載の発明によれば、請求項１〜１１の何れか一項に記載された発明と同様の効果が得られるほかに、蓄光部材が夜間に発光するので、夜間でも色素増感型太陽電池による装飾を視認することができるとともに、蓄光部材の発光により発電を行うことができるので、より発電効率を向上させることができる。
【手続補正２９】
【補正対象書類名】明細書
【補正対象項目名】００３８
【補正方法】変更
【補正の内容】
【００３８】
請求項１３記載の発明によれば、請求項１〜１１の何れか一項に記載された発明と同様の効果が得られるほかに、色素増感型太陽電池の太陽光入射面側と反対側に配設された装飾板とを備えているので、色素増感型太陽電池による装飾と、装飾板の装飾とを重ねることにより、より一層デザイン性の向上を図ることができる。
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】変更
【補正の内容】
【００４１】
請求項１４記載の発明によれば、請求項１２〜１３の何れか一項に記載の装飾装置を機器ケースに配置したので、色素増感型太陽電池の発電量を減少させることなく装飾の自由度を向上させることのできる電子機器を提供することができる。
【手続補正３３】
【補正対象書類名】明細書
【補正対象項目名】００４２
【補正方法】変更
【補正の内容】
【００４２】
請求項１５記載の発明によれば、請求項１４記載の発明と同様の効果が得られるほかに、色素増感型太陽電池よりも太陽光入射面側に配設され、時刻を指示する指針と、この指針を駆動させる駆動部と、を備え、装飾部には、前記指針によって指示される時字が含まれるので、太陽電池の発電量を減少させることなく、且つ、豊富な色彩を有する時計として機能するので、時計としての商品価値を向上させることができる。
【手続補正３４】
【補正対象書類名】明細書
【補正対象項目名】００４３
【補正方法】変更
【補正の内容】
【００４３】
請求項１６記載の発明によれば、光透過基板に透明電極を積層し、この透明電極に金属酸化物層を積層する積層工程と、金属酸化物層の所定の領域に第１のレジストを塗付する第１の塗付工程と、金属酸化物層の前記第１のレジストが塗付された領域以外の領域に第１の光増感色素を添加する第１の添加工程と、第１のレジストを除去し、第１の光増感色素が添加された領域に第２のレジストを塗付する第２の塗付工程と、金属酸化物層の第１のレジストを除去した領域に、第１の光増感色素と異なる色の第２の光増感色素を添加する第２の添加工程と、を備えているので、光増感色素が光電変換と装飾の両方の機能を有し、太陽電池の発電量を減少させることなく装飾の自由度を向上させることのできる色素増感型太陽電池を製造することができるので、ユーザのニーズにより応えることができる。
【手続補正３５】
【補正対象書類名】特許請求の範囲
【補正対象項目名】全文
【補正方法】変更
【補正の内容】
【特許請求の範囲】
【請求項１】
光透過性の第１の基板と、
この第１の基板に対向して配設された第２の基板と、
前記第１の基板と前記第２の基板との間に配設された第１の色素増感型太陽電池層と、
前記第１の基板と前記第２の基板との間であって、前記第１の色素増感型太陽電池層が配設された領域とは異なる領域に配設され、前記第１の色素増感型太陽電池層と色が異なる第２の色素増感型太陽電池層と、
前記第２の基板に形成された装飾部を備え、
前記第２の基板は、光透過性の基板であることを特徴とする色素増感型太陽電池。
【請求項２】
前記第１の基板に形成された装飾部を備えていることを特徴とする請求項１記載の色素増感型太陽電池。
【請求項３】
前記装飾部は、前記第１の基板の外表面に印刷されていることを特徴とする請求項２記載の色素増感型太陽電池。
【請求項４】
前記装飾部は、前記第１の基板の外表面に植字又は貼付されていることを特徴とする請求項２記載の色素増感型太陽電池。
【請求項５】
前記装飾部は、前記第１の基板の外表面にエッチングにより形成されていることを特徴とする請求項２記載の色素増感型太陽電池。
【請求項６】
前記装飾部は、前記第２の基板の外表面に印刷されていることを特徴とする請求項２記載の色素増感型太陽電池。
【請求項７】
前記装飾部は、前記第２の基板の外表面に植字又は貼付されていることを特徴とする請求項２記載の色素増感型太陽電池。
【請求項８】
前記装飾部は、前記第２の基板の外表面にエッチングにより形成されていることを特徴とする請求項２記載の色素増感型太陽電池。
【請求項９】
第１の色素増感型太陽電池層と、
この第１の色素増感型太陽電池層の受光面に対して垂直方向に異なる位置に配置された第２の色素増感型太陽電池層とを備え、
前記第１の色素増感型太陽電池層の色と前記第２の色素増感型太陽電池層の色とが異なることを特徴とする色素増感型太陽電池。
【請求項１０】
前記第１の色素増感型太陽電池層は、前記第２の色素増感型太陽電池層よりも大きい受光面積を有し、当該第２の色素増感型太陽電池層と重なるように配設されていることを特徴とする請求項９記載の色素増感型太陽電池。
【請求項１１】
光透過性の第１の基板と、
この第１の基板よりも太陽光入射面側と反対側に配設された第２の基板と、
前記第１の基板よりも太陽光入射面側に配設された光透過性の第３の基板とを備え、
前記第１の色素増感型太陽電池層及び前記第２の色素増感型太陽電池層のうち、一方が、前記第１の基板と前記第２の基板との間に配設され、他方が、前記第１の基板と前記第３の基板との間に配設されていることを特徴とする請求項１０記載の色素増感型太陽電池。
【請求項１２】
請求項１〜１１の何れか一項に記載された色素増感型太陽電池と、
前記第２の基板よりも太陽光入射面側と反対側に配設され、外光を蓄光する蓄光部材とを備え、
前記第２の基板は、光透過性の基板であることを特徴とする装飾装置。
【請求項１３】
請求項１〜１１の何れか一項に記載された色素増感型太陽電池と、
この色素増感型太陽電池よりも太陽光入射面側と反対側に配設された装飾板とを備え、
前記第２の基板は、光透過性の基板であることを特徴とする装飾装置。
【請求項１４】
請求項１２〜１３の何れか一項に記載された装飾装置を機器ケースに配置したことを特徴とする電子機器。
【請求項１５】
前記色素増感型太陽電池よりも太陽光入射面側に配設され、時刻を指示する指針と、
この指針を駆動させる駆動部と、
前記第１の色素増感型太陽電池層の色と前記第２の色素増感型太陽電池層の色とにより認識されるとともに、前記指針によって指示される時字と、
を備えていることを特徴とする請求項１４記載の電子機器。
【請求項１６】
光透過基板に透明電極を積層し、この透明電極に金属酸化物層を積層する積層工程と、
前記金属酸化物層の所定の領域に第１のレジストを塗付する第１の塗付工程と、
前記金属酸化物層の前記第１のレジストが塗付された領域以外の領域に第１の光増感色素を添加する第１の添加工程と、
前記第１のレジストを除去し、前記第１の光増感色素が添加された領域に第２のレジストを塗付する第２の塗付工程と、
前記金属酸化物層の前記第１のレジストを除去した領域に、前記第１の光増感色素と異なる色の第２の光増感色素を添加する第２の添加工程と、
を備えていることを特徴とする色素増感型太陽電池の製造方法。